(57)【要約】【課題】  オーディオデータ通信システムにおいて、複数の箇所に再生装置を設置していても、一定の再生品質を維持しつつ全再生装置で再生不良となることを防ぐこと。【解決手段】  電力線Ｌを介してオーディオデータを送信するオーディオデータ送信装置１と、オーディオデータを受信して再生可能な複数の再生スピーカ装置２ａ〜２ｆと、を備え、再生スピーカ装置２ａ〜２ｆが、電力線Ｌの通信品質を検出してその通信品質データをオーディオデータ送信装置１へ送信する通信品質データ送信部１０を有し、オーディオデータ送信装置１が、送信された通信品質データを受信する通信品質データ受信部１１と、通信品質データに基づいて、予め設定した最低再生装置数の再生スピーカ装置２ａ〜２ｆで再生可能なオーディオデータの伝送速度の上限を設定し、該上限以下で伝送速度を任意に設定可能な伝送速度設定部１２とを有している。【選択図】      図２
2007228445.tif 000002
【特許請求の範囲】
【請求項１】
電力線を介してオーディオ・ビジュアルデータを送信する送信装置と、
電力線を介して前記オーディオ・ビジュアルデータを受信して再生可能であると共に複数箇所に設置された複数の再生装置と、を備え、
前記再生装置が、設置された箇所における電力線の通信品質を検出してその通信品質データを前記送信装置へ送信する通信品質データ送信部を有し、
前記送信装置が、前記複数の再生装置から送信された前記通信品質データを受信する通信品質データ受信部と、
受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定可能な伝送速度設定部と、を有していることを特徴とするオーディオ・ビジュアルデータ通信システム。
【請求項２】
請求項１に記載のオーディオ・ビジュアルデータ通信システムにおいて、
前記再生装置が、前記オーディオ・ビジュアルデータの最低伝送速度を入力可能な最低伝送速度入力部を備え、
前記通信品質データ送信部が、前記最低伝送速度入力部で入力された前記最低伝送速度を電力線を介して前記送信装置に送信する機能を有し、
前記通信品質データ受信部が、前記再生装置から送信された前記最低伝送速度を受信すると共に前記最低伝送速度を前記伝送速度設定部に送る機能を有し、
前記伝送速度設定部が、送られた前記最低伝送速度以上で前記伝送速度を設定することを特徴とするオーディオ・ビジュアルデータ通信システム。
【請求項３】
送信装置が、電力線を介してオーディオ・ビジュアルデータを送信するステップと、
再生装置が、電力線を介して前記オーディオ・ビジュアルデータを受信すると共に設置された箇所における電力線の通信品質を検出してその通信品質データを前記送信装置へ送信するステップと、
前記送信装置が、前記複数の再生装置から送信された通信品質データを受信するステップと、
前記送信装置が、受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定するステップと、を有していることを特徴とするオーディオ・ビジュアルデータ通信方法。
【請求項４】
送信装置が、電力線を介してオーディオ・ビジュアルデータを送信するステップと、
再生装置が、電力線を介して前記オーディオ・ビジュアルデータを受信すると共に設置された箇所における電力線の通信品質を検出してその通信品質データを前記送信装置へ送信するステップと、
前記送信装置が、前記複数の再生装置から送信された通信品質データを受信するステップと、
前記送信装置が、受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定するステップと、をコンピュータに実行させることを特徴とするオーディオ・ビジュアルデータ通信プログラム。
【発明の詳細な説明】
【技術分野】
【０００１】
本発明は、電力線を介してオーディオ・ビジュアルデータの再生を行うためのオーディオ・ビジュアルデータ通信システム及びオーディオ・ビジュアルデータ通信方法並びにオーディオ・ビジュアルデータ通信プログラムに関する。
【背景技術】
【０００２】
従来、オーディオデータ送信装置からデータを、オーディオデータ再生スピーカに対して出力して再生する技術として、特許文献１に記載されているスピーカシステムが知られている。
このスピーカシステムでは、１台のオーディオデータ送信装置から無線を介して、複数台設置されるオーディオデータ再生スピーカに対してオーディオデータを送信している。これにより、それぞれのスピーカに異なる種類のオーディオデータを再生させることを可能としている。
【０００３】
【特許文献１】特開２００１−２７５１９４号公報
【発明の開示】
【発明が解決しようとする課題】
【０００４】
上記従来の技術には、以下の課題が残されている。
すなわち、上記従来のスピーカシステムは、一つの部屋内において複数の再生スピーカから再生することを前提としており、複数の部屋に再生スピーカを設置して各部屋で同時再生することを考慮していない。このため、無線の受信状態が悪い部屋に再生スピーカを設置すると良好な再生を行うことができない不都合があった。このため、各部屋に配設されている電力線を介してデータ通信を行う電力線通信により、各部屋の再生スピーカにオーディオデータを送信して再生を行う技術も考えられるが、この場合、各部屋の電力線における伝送路の通信品質が他の電気電子機器の接続などの影響により一定でなく、最も通信品質の低い箇所に設置された再生スピーカに合わせてオーディオデータの伝送速度を低く設定する必要があった。しかしながら、最も低い通信品質に対応させた低い伝送速度に設定してしまうと、オーディオの再生速度が低下してしまうと共に全体のオーディオ再生品質が低下してしまうという問題があった。また、ノイズ等の状態によっては全体的に通信品質が劣化する場合があり、この状態で通信品質によりも高い伝送速度のままオーディオデータを送信すると、全ての再生装置において再生不良を起こす場合もある。
【０００５】
本発明は、前述の課題に鑑みてなされたもので、複数の箇所に再生装置を設置していても、一定の再生品質を維持しつつ全再生装置で再生不良となることを防ぐことができるオーディオ・ビジュアルデータ通信システム及びオーディオ・ビジュアルデータ通信方法並びにオーディオ・ビジュアルデータ通信プログラムを提供することを目的とする。
【課題を解決するための手段】
【０００６】
本発明は、前記課題を解決するために以下の構成を採用した。すなわち、本発明のオーディオ・ビジュアルデータ通信システムは、電力線を介してオーディオ・ビジュアルデータを送信する送信装置と、電力線を介して前記オーディオ・ビジュアルデータを受信して再生可能であると共に複数箇所に設置された複数の再生装置と、を備え、前記再生装置が、設置された箇所における電力線の通信品質を検出してその通信品質データを前記送信装置へ送信する通信品質データ送信部を有し、前記送信装置が、前記複数の再生装置から送信された前記通信品質データを受信する通信品質データ受信部と、受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定可能な伝送速度設定部と、を有していることを特徴とする。
【０００７】
また、本発明のオーディオ・ビジュアルデータ通信方法は、送信装置が、電力線を介してオーディオ・ビジュアルデータを送信するステップと、再生装置が、電力線を介して前記オーディオ・ビジュアルデータを受信すると共に設置された箇所における電力線の通信品質を検出してその通信品質データとして前記送信装置へ送信するステップと、前記送信装置が、前記複数の再生装置から送信を通信品質データを受信するステップと、前記送信装置が、受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定するステップと、を有していることを特徴とする。
【０００８】
また、本発明のオーディオ・ビジュアルデータ通信プログラムは、送信装置が、電力線を介してオーディオ・ビジュアルデータを送信するステップと、再生装置が、電力線を介して前記オーディオ・ビジュアルデータを受信すると共に設置された箇所における電力線の通信品質を検出してその通信品質データを前記送信装置へ送信するステップと、前記送信装置が、前記複数の再生装置から送信された通信品質データを受信するステップと、前記送信装置が、受信した前記通信品質データに基づいて、予め設定した最低再生装置数の前記再生装置で再生可能な前記オーディオ・ビジュアルデータの伝送速度の上限を設定し、該上限以下で前記伝送速度を任意に設定するステップと、をコンピュータに実行させることを特徴とする。
【０００９】
これらのオーディオ・ビジュアルデータ通信システム及びオーディオ・ビジュアルデータ通信方法並びにオーディオ・ビジュアルデータ通信プログラムでは、送信装置において、複数の再生装置から受信した通信品質データに基づいて、予め設定した最低再生装置数の再生装置で再生可能なオーディオ・ビジュアルデータの伝送速度の上限を設定し、該上限以下で伝送速度を任意に設定することにより、少なくとも最低再生装置数の再生装置において再生が維持されると共に、最低再生装置数を確保した状態で再生品質を任意に設定することが可能になる。
すなわち、設定した伝送速度に対応できない低通信品質であった再生装置では、再生不良が生じてマスクされた状態となるが、設定した伝送速度に対応可能な通信品質であった再生装置では、伝送速度に対応したオーディオの再生品質（再生速度）で良好な再生が行われる。このとき、伝送速度は最低再生装置数を確保可能な上限を越えないように設定されるため、全体の通信品質がノイズ等で劣化していても、全ての再生装置において再生不良となることを防ぐことができる。
なお、上記オーディオ・ビジュアルデータは、オーディオデータ及びビジュアルデータの少なくとも一方をいう。
【００１０】
また、本発明のオーディオ・ビジュアルデータ通信システムでは、前記再生装置が、前記オーディオ・ビジュアルデータの最低伝送速度を入力可能な最低伝送速度入力部を備え、前記通信品質データ送信部が、前記最低伝送速度入力部で入力された前記最低伝送速度を電力線を介して前記送信装置に送信する機能を有し、前記通信品質データ受信部が、前記再生装置から送信された前記最低伝送速度を受信すると共に前記最低伝送速度を前記伝送速度設定部に送る機能を有し、前記伝送速度設定部が、送られた前記最低伝送速度以上で前記伝送速度を設定することを特徴とする。すなわち、このオーディオ・ビジュアルデータ通信システムでは、再生装置側において最低伝送速度を入力可能で、入力した最低伝送速度を電力線を介して送信装置に送ることで、最低伝送速度以上で伝送速度が設定されるので、上記最低再生装置数に基づく上限の伝送速度以下で、再生装置側にいる視聴者が任意の最低の再生品質を設定することができる。したがって、再生装置全体の再生不良を回避しつつ、再生装置側にいる視聴者が要求するレベルの再生品質を維持することができる。
【発明の効果】
【００１１】
本発明によれば、以下の効果を奏する。
すなわち、本発明に係るオーディオ・ビジュアルデータ通信システム及びオーディオ・ビジュアルデータ通信方法並びにオーディオ・ビジュアルデータ通信プログラムによれば、複数の再生装置から受信した通信品質データに基づいて、予め設定した最低再生装置数の再生装置で再生可能なオーディオ・ビジュアルデータの伝送速度の上限を設定し、該上限以下で伝送速度を任意に設定することにより、必要最小限の再生装置数を確保しつつ、一定の通信品質以下の箇所に設置された再生装置をマスクした状態で、他の再生装置において良好な再生を行うことができる。したがって、複数の箇所に再生装置を設置していても、任意の再生品質を維持しつつ全再生装置で再生不良となることを防ぐことができる。
【発明を実施するための最良の形態】
【００１２】
以下、本発明に係るオーディオ・ビジュアルデータ通信システム及びオーディオ・ビジュアルデータ通信方法並びにオーディオ・ビジュアルデータ通信プログラムの一実施形態を、図１から図３を参照しながら説明する。
【００１３】
本実施形態のオーディオデータ通信システムは、図１に示すように、例えば一般家屋等に配線され複数の家電製品等の電子電気機器へ電力供給を行う電力線Ｌを介して、ＣＤプレーヤー等のオーディオデータ送信装置（送信装置）１から送信されるオーディオデータを複数の部屋（箇所）に設置された再生スピーカ装置（再生装置）２ａ〜２ｆで再生させるものである。
【００１４】
このオーディオデータ通信システムは、電力線Ｌを介してオーディオデータを送信するオーディオデータ送信装置１と、電力線Ｌを介してオーディオデータを受信して再生可能であると共に壁Ｗで仕切られた部屋に設置された複数の再生スピーカ装置２ａ〜２ｆと、を備えている。
【００１５】
上記各部屋には、それぞれ電力線Ｌから電力を得るための複数のコンセント４が設置されている。
上記オーディオデータ送信装置１は、図２に示すように、一つの部屋内のコンセント４に接続されており、ＣＤ等の記憶媒体から読み取ったオーディオデータに基づいて電力線Ｌを介して送信するパケットを生成するデータ生成部５と、該データ生成部５が生成したオーディオデータのパケットを電力線Ｌを介して送信するデータ送信部６と、を備えている。
上記再生スピーカ装置２ａ〜２ｆは、オーディオデータのパケットを電力線Ｌを介して受信するデータ受信部７と、受信したパケットに基づいてオーディオデータをスピーカ部８から再生出力するオーディオデータ再生部９と、を備えている。
【００１６】
また、上記再生スピーカ装置２ａ〜２ｆは、テスト送信されたオーディオデータのデータ受信部７による受信状態から設置位置での電力線Ｌの通信品質を検出すると共にその通信品質データをオーディオ送信装置１へ送信する通信品質データ送信部１０を有している。
上記オーディオデータ送信装置１は、複数の再生スピーカ装置２ａ〜２ｆから送信された通信品質データを受信する通信品質データ受信部１１と、受信した通信品質データに基づいて、予め設定した最低再生装置数（最低再生スピーカ装置数）の再生スピーカ装置２ａ〜２ｆで再生可能なオーディオデータの伝送速度の上限を設定し、該上限以下で伝送速度を任意に設定可能な伝送速度設定部１２と、を有している。
【００１７】
さらに、再生スピーカ装置２ａ〜２ｆは、オーディオデータの最低伝送速度を入力可能な最低伝送速度入力部２１を備えている。また、上記通信品質データ送信部１０は、最低伝送速度入力部２１で入力された最低伝送速度を電力線Ｌを介してオーディオデータ送信装置１に送信する機能を有している。
上記最低伝送速度入力部２１は、例えば再生スピーカ装置２ａ〜２ｆの正面部に設けられた摘み部などで後述するＭｏｄｅ１〜５に対応した伝送速度を選択可能とされている。
また、上記通信品質データ受信部１１は、再生スピーカ装置２ａ〜２ｆから送信された最低伝送速度を受信すると共に、最低伝送速度を伝送速度設定部１２に送る機能を有している。そして、伝送速度設定部１２は、送られた最低伝送速度以上で伝送速度を設定する機能を有している。
【００１８】
なお、本オーディオデータ通信システムにおけるデータの各処理部、すなわちデータ送信部６、データ生成部５、通信品質データ送信部１０、通信品質データ受信部１１、伝送速度設定部１２、データ受信部７及びオーディオデータ再生部９等は、専用のハードウェアにより実現されるものであってもよく、また、各処理部はコンピュータシステムとしてメモリ及びＣＰＵ（中央集積装置）により構成され、各処理部の機能及び後述する本実施形態のオーディオデータ通信方法を実現するためのプログラムをメモリにロードして実行することによりその機能を実現させるものであってもよい。
【００１９】
すなわち、上記プログラムは、コンピュータ読み取り可能なプログラムであり、前述した機能及び後述するオーディオデータ通信方法の一部を実現するためであってもよい。さらに、上記プログラムは、前述した機能をコンピュータシステムに既に記録されているプログラムとの組み合わせで実現できるもの、いわゆる差分ファイル（差分プログラム）であってもよい。
【００２０】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電力線、電話回線等の通信回線（通信線）のように、情報を伝送する機能を有する媒体をいうものとする。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ(Random Access Memory)のような揮発性のメモリ或いはこれらの組み合わせによるコンピュータ読み取り、書き込み可能な記録媒体より構成されるものとする。
【００２１】
次に、本実施形態のオーディオデータ通信システムによるオーディオデータの通信方法及び再生方法について説明する。
【００２２】
まず、オーディオ送信装置１のデータ送信部６からオーディオデータを各再生スピーカ装置２ａ〜２ｆに対して電力線を介してテスト送信する。なお、このオーディオデータは、テスト送信のためのものであり、データ生成部５による通常の再生用オーディオデータでなくても構わず、テスト送信専用のデータでも良い。各部屋の再生スピーカ装置２ａ〜２ｆのデータ受信部７は、電力線を介してテスト送信されたオーディオデータを受信すると共に、受信したオーディオデータを通信品質データ送信部１０へ送る。そして、通信品質データ送信部１０は、受信したオーディオデータの受信状態からその通信品質を検出する。
【００２３】
例えば、データ送信部６から伝送速度を５段階（高伝送速度のＭｏｄｅ１〜低伝送速度のＭｏｄｅ５）に変化させてオーディオデータをテスト送信して、通信品質データ送信部１０が、図３に示すように、その受信状態から通信品質を５段階（高通信品質のＭｏｄｅ１〜低通信品質のＭｏｄｅ５）で評価し、その再生スピーカ装置２ａ〜２ｆの通信品質データとする。
【００２４】
さらに、各再生スピーカ装置２ａ〜２ｆの通信品質データ送信部１０は、それぞれ検出した通信品質データを電力線Ｌを介してオーディオ送信装置１に送信する。オーディオ送信装置１の通信品質データ受信部１１は、電力線Ｌを介して各通信品質データを受信すると共に、伝送速度設定部１２に通信品質データを送る。伝送速度設定部１２は、各再生スピーカ装置２ａ〜２ｆの全通信品質データに基づいて、予め設定した最低再生装置数の再生スピーカ装置２ａ〜２ｆで再生可能なオーディオデータの伝送速度の上限を設定し、該上限以下で伝送速度を任意に設定する。なお、上記最低再生装置数は、最低限再生に必要な再生スピーカ装置数をユーザなどの操作者が予め任意に設定する。
【００２５】
次に、伝送速度設定部１２は、決定された伝送速度データをデータ送信部６に送り、データ送信部６は、データ生成部５から送られるオーディオデータを決定された伝送速度によって電力線Ｌを介して再生スピーカ装置２ａ〜２ｆへと送信する。
そして、各再生スピーカ装置２ａ〜２ｆでは、データ受信部７が電力線Ｌを介してオーディオデータを受信するが、上記決定した伝送速度に対応可能な通信品質を有するものは、オーディオデータ再生部９によりスピーカ部８からオーディオデータが良好に再生出力される。逆に、各再生スピーカ装置２ａ〜２ｆにおいて、上記決定した伝送速度に対応可能な通信品質を有しないものは、データ受信部７でオーディオデータを完全に受信できず、オーディオデータ再生部９によるオーディオデータの再生不良が生じてマスクされた状態となる。
【００２６】
例えば、図３の（ａ）に示すように、通信品質データが、再生スピーカ装置２ａでＭｏｄｅ１、再生スピーカ装置２ｂでＭｏｄｅ２、再生スピーカ装置２ｃでＭｏｄｅ２、再生スピーカ装置２ｄでＭｏｄｅ３、再生スピーカ装置２ｅでＭｏｄｅ３、再生スピーカ装置２ｆでＭｏｄｅ４と検出された場合、ユーザが少なくとも再生させたい再生スピーカ装置の数、すなわち最低再生装置数を３台に設定すると、伝送速度設定部１２が、少なくとも３台が再生維持可能となるように伝送速度をＭｏｄｅ２に決定する。これにより、再生スピーカ装置２ａ、２ｂ、２ｃの３台が再生可能になると共に、再生スピーカ装置２ｄ、２ｅ、２ｆの３台が再生不良となってマスクされた状態となる。この場合、伝送速度設定部１２は、最低再生装置数を確保したまま最も高い伝送速度となるように設定されている。
【００２７】
また、図３の（ｂ）に示すように、通信品質データが、再生スピーカ装置２ａでＭｏｄｅ１、再生スピーカ装置２ｂでＭｏｄｅ３、再生スピーカ装置２ｃでＭｏｄｅ３、再生スピーカ装置２ｄでＭｏｄｅ３、再生スピーカ装置２ｅでＭｏｄｅ３、再生スピーカ装置２ｆでＭｏｄｅ４と検出された場合、最低再生装置数が３台に設定されていると、伝送速度設定部１２が、３台以上が再生維持可能となるように伝送速度を１ランク下げてＭｏｄｅ３に決定する。これにより、再生スピーカ装置２ａ、２ｂ、２ｃ、２ｄ、２ｅの５台が再生可能になると共に、再生スピーカ装置２ｆの１台だけが再生不良となってマスクされた状態となる。
【００２８】
なお、設定した最低再生装置数を確保できれば、最低再生装置数を維持した条件でユーザが任意に再生品質を選択し、この再生品質に対応した通信品質及び伝送速度となるように伝送速度設定部１２が設定するようにしても構わない。例えば、図３の（ａ）のように、各再生スピーカ装置２ａ〜２ｆにおける通信品質が検出された場合、ユーザが最低再生装置数を１台と設定すると、ユーザは、Ｍｏｄｅ１〜４のいずれかの通信品質に対応した再生品質を選択可能である。
【００２９】
すなわち、Ｍｏｄｅ１の通信品質に対応した再生品質を選べば、再生スピーカ装置２ａの１台が再生可能になり、Ｍｏｄｅ２の通信品質に対応した再生品質を選べば、再生スピーカ装置２ａ、２ｂ、２ｃの３台が再生可能になる。さらに、Ｍｏｄｅ３の通信品質に対応した再生品質を選べば、再生スピーカ装置２ａ、２ｂ、２ｃ、２ｄ、２ｅの５台が再生可能になる。さらに、Ｍｏｄｅ４の通信品質に対応した再生品質を選べば、全ての再生スピーカ装置２ａ〜２ｆで再生が可能になる。これらの設定は、いずれも最低再生装置数１台を満たしたものである。なお、上記設定では、全再生スピーカ装置２ａ〜２ｆで再生不良となるため、Ｍｏｄｅ５を選択することはできない。したがって、最低再生装置数を確保した状態で、任意の再生スピーカ装置数及び音質で再生することが可能となる。
【００３０】
なお、再生スピーカ装置２ａ〜２ｆ側にいるユーザ（視聴者）が、一定以上の再生品質を求める場合、ユーザが再生スピーカ装置２ａ〜２ｆ側において最低伝送速度入力部２１で再生品質に対応した最低伝送速度を入力すると、入力した最低伝送速度を送信データとして通信品質データ送信部１０が電力線Ｌを介してオーディオ送信装置１に送る。オーディオ送信装置１では、通信品質データ受信部１１が電力線Ｌを介して最低伝送速度を受信すると共に伝送速度設定部１２に最低伝送速度の情報を送る。そして、伝送速度設定部１２は、上記最低再生装置数に基づく上限のＭｏｄｅ（伝送速度）以下で、送られた最低伝送速度以上の伝送速度に対応するＭｏｄｅを設定することで、ユーザの要望する最低再生品質を維持することができる。
【００３１】
このように、最低伝送速度以上で伝送速度が設定されるので、上記最低再生装置数に基づく上限のＭｏｄｅ（伝送速度）以下で、再生スピーカ装置２ａ〜２ｆ側にいるユーザが任意の最低の再生品質を設定することができる。したがって、再生スピーカ装置２ａ〜２ｆ全体の再生不良を回避しつつ、再生スピーカ装置２ａ〜２ｆ側にいるユーザが要求するレベルの再生品質を維持することができる。
【００３２】
このように本実施形態では、オーディオデータ送信装置１において、複数の再生スピーカ装置２ａ〜２ｆから受信した通信品質データに基づいて、予め設定した最低再生装置数の再生スピーカ装置２ａ〜２ｆで再生可能なオーディオデータの伝送速度の上限を設定し、該上限以下で伝送速度を任意に設定することにより、少なくとも最低再生装置数の再生スピーカ装置２ａ〜２ｆにおいて再生が維持されると共に、最低再生装置数を確保した状態で再生品質を任意に設定することが可能になる。
【００３３】
すなわち、再生スピーカ装置２ａ〜２ｆのうち、設定した伝送速度に対応できない通信品質であったものでは、再生不良が生じてマスクされた状態となるが、再生スピーカ装置２ａ〜２ｆのうち、設定した伝送速度に対応可能な通信品質であったものでは、伝送速度に対応したオーディオの再生品質（再生速度）で良好な再生が行われる。このとき、伝送速度は最低再生装置数を確保可能な上限を越えないように設定されるため、全体の通信品質がノイズ等で劣化していても、全ての再生スピーカ装置２ａ〜２ｆにおいて再生不良となることを防ぐことができる。
【００３４】
また、再生スピーカ装置２ａ〜２ｆ側のユーザが最低再生品質を選択することで、最低再生品質に対応した最低伝送速度以上でＭｏｄｅ（伝送速度）が設定されるので、上記最低再生装置数に基づく上限のＭｏｄｅ以下で、任意の最低再生品質を設定することができる。したがって、再生スピーカ装置２ａ〜２ｆ全体の再生不良を回避しつつ、再生スピーカ装置２ａ〜２ｆ側にいるユーザが要求するレベルの再生品質を維持することができる。
【００３５】
なお、本発明の技術範囲は上記実施形態に限定されるものではなく、本発明の趣旨を逸脱しない範囲において種々の変更を加えることが可能である。
【００３６】
上記実施形態では、電力線Ｌを介してオーディオデータの送受信を行う場合について説明したが、電力線Ｌを介してオーディオデータだけでなくビジュアルデータを送受信しても構わない。この場合、上記オーディオデータ送信装置１の代わりにＤＶＤプレーヤー等のビジュアルデータ再生装置が採用されると共に、再生スピーカ装置２ａ〜２ｆの代わりに液晶ディスプレイ装置等の再生装置が採用される。
【図面の簡単な説明】
【００３７】
【図１】本発明に係る一実施形態のオーディオ・ビジュアルデータ通信システム及びオーディオ・ビジュアルデータ通信方法並びにオーディオ・ビジュアルデータ通信プログラムにおいて、オーディオデータ通信システムを示す全体構成図である。
【図２】本実施形態において、オーディオデータ通信システムを示すブロック構成図である。
【図３】本実施形態において、オーディオデータ通信方法を示すための説明図である。
【符号の説明】
【００３８】
１…オーディオデータ送信装置（送信装置）、２ａ〜２ｆ…再生スピーカ装置（再生装置）、１０…通信品質データ送信部、１１…通信品質データ受信部、１２…伝送速度設定部、２１…最低伝送速度入力部、Ｌ…電力線
【図１】
2007228445.tif 000003
【図２】
2007228445.tif 000004
【図３】
2007228445.tif 000005